(57)【要約】【課題】  ページの印刷領域からはみ出して付加された電子的な付箋の記述内容が、その印刷物から欠落することを防ぐ。【解決手段】  領域特定部１４が、文書中のページにおいて印刷媒体に印刷される印刷領域を特定し、処理制御部１５が、ページに付加された電子的な付箋中の印刷領域からはみ出す部分に対応して印刷処理部１７を制御し、印刷処理部１７が、処理制御部１５による制御に従って当該付箋中の記述を印刷領域内に移動した態様で印刷情報を生成してプリンタ２に供給し、プリンタ２が、供給された印刷情報に基づいて用紙への印刷を行う。【選択図】  図１
2007334470.tif 000002
【特許請求の範囲】
【請求項１】
文書中のページにおいて印刷媒体に印刷される印刷領域を特定する領域特定手段と、
ページに付加された電子的な付箋中の印刷領域からはみ出す部分に対応して当該付箋に係る処理を制御し、当該付箋が保持する記述を印刷領域内に収める処理制御手段と、
を備えることを特徴とする情報処理装置。
【請求項２】
請求項１に記載の情報処理装置において、
前記処理制御手段は、電子的な付箋を印刷媒体に印刷する処理を行う印刷処理手段を制御し、当該付箋中の記述を印刷領域内に移動して印刷させることを特徴とする情報処理装置。
【請求項３】
請求項２に記載の情報処理装置において、
前記印刷処理手段は、前記処理制御手段による制御に従って、電子的な付箋をその形態を変更して印刷領域内に収めて当該付箋中の記述を印刷領域内に移動することを特徴とする情報処理装置。
【請求項４】
請求項２に記載の情報処理装置において、
前記印刷処理手段は、前記処理制御手段による制御に従って、電子的な付箋中の記述をその文字サイズを縮小して印刷領域内に移動することを特徴とする情報処理装置。
【請求項５】
請求項１に記載の情報処理装置において、
前記処理制御手段は、電子的な付箋中の記述をユーザ操作に応じて編集する処理を行う編集処理手段を制御し、当該付箋に保持させる記述を当該付箋中の印刷領域内の部分に規制させることを特徴とする情報処理装置。
【請求項６】
請求項１に記載の情報処理装置において、
前記処理制御手段は、電子的な付箋中の記述をユーザ操作に応じて編集するために当該付箋を画面に表示する処理を行う表示処理手段を制御し、当該付箋中の印刷領域内の部分と印刷領域からはみ出す部分とを区別した態様で表示させることを特徴とする情報処理装置。
【請求項７】
文書中のページ及び当該ページに付加された電子的な付箋を画面に表示する処理を行う表示処理手段と、
前記ページ及び前記付箋を印刷する印刷情報を生成して印刷装置に供給する処理を行い、当該印刷装置により印刷媒体に印刷させる印刷処理手段と、
前記ページにおいて印刷媒体に印刷される印刷領域を特定する領域特定手段と、
前記付箋中の印刷領域からはみ出す部分に対応して前記印刷処理手段を制御し、前記付箋中の記述を印刷領域内に移動した印刷情報を生成させる処理制御手段と、
を備えることを特徴とする文書処理装置。
【請求項８】
文書中のページ及び当該ページに付加された電子的な付箋を画面に表示する処理を行う表示処理手段と、
前記付箋が保持する記述をユーザ操作に応じて編集する処理を行う編集処理手段と、
前記ページ及び前記付箋を印刷する印刷情報を生成して印刷装置に供給する処理を行い、当該印刷装置により印刷媒体に印刷させる印刷処理手段と、
前記ページにおいて印刷媒体に印刷される印刷領域を特定する領域特定手段と、
前記付箋中の印刷領域からはみ出す部分に対応して前記編集処理手段を制御し、前記付箋に保持させる記述を前記付箋中の印刷領域内の部分に規制させる処理制御手段と、
を備えることを特徴とする文書処理装置。
【請求項９】
文書中のページ及び当該ページに付加された電子的な付箋を画面に表示する処理を行う表示処理手段と、
前記付箋が保持する記述をユーザ操作に応じて編集する処理を行う編集処理手段と、
前記ページ及び前記付箋を印刷する印刷情報を生成して印刷装置に供給する処理を行い、当該印刷装置により印刷媒体に印刷させる印刷処理手段と、
前記ページにおいて印刷媒体に印刷される印刷領域を特定する領域特定手段と、
前記付箋中の印刷領域からはみ出す部分に対応して前記表示処理手段を制御し、前記付箋中の印刷領域内の部分と印刷領域からはみ出す部分とを区別した態様で表示させる処理制御手段と、
を備えることを特徴とする文書処理装置。
【請求項１０】
文書中のページ及び当該ページに付加された電子的な付箋を印刷媒体に印刷する処理を行う印刷処理手段と、
前記ページにおいて印刷媒体に印刷される印刷領域を特定する領域特定手段と、
前記付箋中の印刷領域からはみ出す部分に対応して前記印刷処理手段を制御し、前記付箋中の記述を印刷領域内に移動して印刷させる処理制御手段と、
を備えることを特徴とする印刷装置。
【請求項１１】
文書中のページにおいて印刷媒体に印刷される印刷領域を特定する領域特定機能と、
ページに付加された電子的な付箋中の印刷領域からはみ出す部分に対応して当該付箋に係る処理を制御し、当該付箋が保持する記述を印刷領域内に収める処理制御機能と、
をコンピュータに実行させることにより構成する情報処理プログラム。
【請求項１２】
文書中のページ及び当該ページに付加された電子的な付箋を画面に表示する処理を行う表示処理機能と、
前記ページ及び前記付箋を印刷する印刷情報を生成して印刷装置に供給する処理を行い、当該印刷装置により印刷媒体に印刷させる印刷処理機能と、
前記ページにおいて印刷媒体に印刷される印刷領域を特定する領域特定機能と、
前記付箋中の印刷領域からはみ出す部分に対応して前記印刷処理機能を制御し、前記付箋中の記述を印刷領域内に移動した印刷情報を生成させる処理制御機能と、
をコンピュータに実行させることにより構成する文書処理プログラム。
【請求項１３】
文書中のページ及び当該ページに付加された電子的な付箋を画面に表示する処理を行う表示処理機能と、
前記付箋が保持する記述をユーザ操作に応じて編集する処理を行う編集処理機能と、
前記ページ及び前記付箋を印刷する印刷情報を生成して印刷装置に供給する処理を行い、当該印刷装置により印刷媒体に印刷させる印刷処理機能と、
前記ページにおいて印刷媒体に印刷される印刷領域を特定する領域特定機能と、
前記付箋中の印刷領域からはみ出す部分に対応して前記編集処理機能を制御し、前記付箋に保持させる記述を前記付箋中の印刷領域内の部分に規制させる処理制御機能と、
をコンピュータに実行させることにより構成する文書処理プログラム。
【請求項１４】
文書中のページ及び当該ページに付加された電子的な付箋を画面に表示する処理を行う表示処理機能と、
前記付箋が保持する記述をユーザ操作に応じて編集する処理を行う編集処理機能と、
前記ページ及び前記付箋を印刷する印刷情報を生成して印刷装置に供給する処理を行い、当該印刷装置により印刷媒体に印刷させる印刷処理機能と、
前記ページにおいて印刷媒体に印刷される印刷領域を特定する領域特定機能と、
前記付箋中の印刷領域からはみ出す部分に対応して前記表示処理機能を制御し、前記付箋中の印刷領域内の部分と印刷領域からはみ出す部分とを区別した態様で表示させる処理制御機能と、
をコンピュータに実行させることにより構成する文書処理プログラム。
【請求項１５】
文書中のページ及び当該ページに付加された電子的な付箋を印刷媒体に印刷する処理を行う印刷処理機能と、
前記ページにおいて印刷媒体に印刷される印刷領域を特定する領域特定機能と、
前記付箋中の印刷領域からはみ出す部分に対応して前記印刷処理機能を制御し、前記付箋中の記述を印刷領域内に移動して印刷させる処理制御機能と、
をコンピュータに実行させることにより構成する印刷プログラム。
【発明の詳細な説明】
【技術分野】
【０００１】
本発明は、電子文書のページに付加された電子的な付箋に係る処理を制御する情報処理装置、当該制御機能を有する文書処理装置、当該制御機能を有する印刷装置、及びこれら装置をコンピュータに構成するプログラムに関する。
【背景技術】
【０００２】
近年、コンピュータを用いて作成された電子文書の閲覧や編集等を行う文書処理装置に、電子文書中のページに対して電子的な付箋を付加する機能が設けられており、例えば、文書レビュー等の場面で文書内容に対してコメントするためにそのコメント内容を記述した付箋をページ中の該当部分に付加することが行われている。
【０００３】
このような付箋に係る発明として、複数のページを重ね表示したときに、下層のページに添付した付箋が上層のページ或いはそのページの付箋によって覆い隠されることなく表示するために、付箋の位置をずらして表示する発明や、文書枠からはみ出して付箋が貼られた文書の出力に際して、はみ出し部分も含めて完全な形で印刷するために、文書の印刷領域と付箋を含めた外接領域とに基づいて印刷画像の縮小率を求めて縮小印刷する発明が提案されている（特許文献１、特許文献２参照。）。
【特許文献１】特開平８−２９２８６１号公報
【特許文献２】特開平８−２９２７５５号公報
【発明の開示】
【発明が解決しようとする課題】
【０００４】
従来、電子文書のページからはみ出して付箋が付加されている場合、ディスプレイ画面上では、図１０（ａ）に示すように、付箋全体が表示されてその記述内容を把握することができるが、そのページを用紙等の印刷媒体に印刷すると、同図（ｂ）に示すように、用紙からはみ出す部分については印刷できないため、印刷物からその部分の記述が欠落してしまい、印刷物を見ても付箋の記述内容を把握できないという問題が発生していた。
【０００５】
また、ページから付箋がはみ出していない場合でも、例えば、文書の編集アプリケーション等によりページの各辺に設けられた余白部分（マージン）や、プリンタの機械的要因により生じる印刷不能部分（例えば、静電方式により印刷するプリンタの場合は用紙の端から約２ｍｍ）についても印刷できないため、印刷物からその部分の記述が欠落してしまい、印刷物を見ても付箋の記述内容を把握できないという問題が発生していた。
【０００６】
本発明は、上記従来の事情に鑑みなされたものであり、ページの印刷領域からはみ出して付加された付箋の記述内容が、その印刷物から欠落することを防ぐことを目的とする。
【課題を解決するための手段】
【０００７】
請求項１に記載の本発明は、文書中のページにおいて印刷媒体に印刷される印刷領域を特定する領域特定手段と、ページに付加された電子的な付箋中の印刷領域からはみ出す部分に対応して当該付箋に係る処理を制御し、当該付箋が保持する記述を印刷領域内に収める処理制御手段と、を備えることを特徴とする情報処理装置である。
【０００８】
請求項２に記載の本発明は、請求項１に記載の情報処理装置において、処理制御手段が、電子的な付箋を印刷媒体に印刷する処理を行う印刷処理手段を制御し、当該付箋中の記述を印刷領域内に移動して印刷させることを特徴とする情報処理装置である。
【０００９】
請求項３に記載の本発明は、請求項２に記載の情報処理装置において、印刷処理手段が、処理制御手段による制御に従って、電子的な付箋をその形態を変更して印刷領域内に収めて当該付箋中の記述を印刷領域内に移動することを特徴とする情報処理装置である。
【００１０】
請求項４に記載の本発明は、請求項２に記載の情報処理装置において、印刷処理手段が、処理制御手段による制御に従って、電子的な付箋中の記述をその文字サイズを縮小して印刷領域内に移動することを特徴とする情報処理装置である。
【００１１】
請求項５に記載の本発明は、請求項１に記載の情報処理装置において、処理制御手段が、電子的な付箋中の記述をユーザ操作に応じて編集する処理を行う編集処理手段を制御し、当該付箋に保持させる記述を当該付箋中の印刷領域内の部分に規制させることを特徴とする情報処理装置である。
【００１２】
請求項６に記載の本発明は、請求項１に記載の情報処理装置において、処理制御手段が、電子的な付箋中の記述をユーザ操作に応じて編集するために当該付箋を画面に表示する処理を行う表示処理手段を制御し、当該付箋中の印刷領域内の部分と印刷領域からはみ出す部分とを区別した態様で表示させることを特徴とする情報処理装置である。
【００１３】
請求項７に記載の本発明は、文書中のページ及び当該ページに付加された電子的な付箋を画面に表示する処理を行う表示処理手段と、前記ページ及び前記付箋を印刷する印刷情報を生成して印刷装置に供給する処理を行い、当該印刷装置により印刷媒体に印刷させる印刷処理手段と、前記ページにおいて印刷媒体に印刷される印刷領域を特定する領域特定手段と、前記付箋中の印刷領域からはみ出す部分に対応して前記印刷処理手段を制御し、前記付箋中の記述を印刷領域内に移動した印刷情報を生成させる処理制御手段と、を備えることを特徴とする文書処理装置である。
【００１４】
請求項８に記載の本発明は、文書中のページ及び当該ページに付加された電子的な付箋を画面に表示する処理を行う表示処理手段と、前記付箋が保持する記述をユーザ操作に応じて編集する処理を行う編集処理手段と、前記ページ及び前記付箋を印刷する印刷情報を生成して印刷装置に供給する処理を行い、当該印刷装置により印刷媒体に印刷させる印刷処理手段と、前記ページにおいて印刷媒体に印刷される印刷領域を特定する領域特定手段と、前記付箋中の印刷領域からはみ出す部分に対応して前記編集処理手段を制御し、前記付箋に保持させる記述をその付箋中の印刷領域内の部分に規制させる処理制御手段と、を備えることを特徴とする文書処理装置である。
【００１５】
請求項９に記載の本発明は、文書中のページ及び当該ページに付加された電子的な付箋を画面に表示する処理を行う表示処理手段と、前記付箋が保持する記述をユーザ操作に応じて編集する処理を行う編集処理手段と、前記ページ及び前記付箋を印刷する印刷情報を生成して印刷装置に供給する処理を行い、当該印刷装置により印刷媒体に印刷させる印刷処理手段と、前記ページにおいて印刷媒体に印刷される印刷領域を特定する領域特定手段と、前記付箋中の印刷領域からはみ出す部分に対応して前記表示処理手段を制御し、前記付箋中の印刷領域内の部分と印刷領域からはみ出す部分とを区別した態様で表示させる処理制御手段と、を備えることを特徴とする文書処理装置である。
【００１６】
請求項１０に記載の本発明は、文書中のページ及び当該ページに付加された電子的な付箋を印刷媒体に印刷する処理を行う印刷処理手段と、前記ページにおいて印刷媒体に印刷される印刷領域を特定する領域特定手段と、前記付箋中の印刷領域からはみ出す部分に対応して前記印刷処理手段を制御し、前記付箋中の記述を印刷領域内に移動して印刷させる処理制御手段と、を備えることを特徴とする印刷装置である。
【００１７】
請求項１１に記載の本発明は、文書中のページにおいて印刷媒体に印刷される印刷領域を特定する領域特定機能と、ページに付加された電子的な付箋中の印刷領域からはみ出す部分に対応して当該付箋に係る処理を制御し、当該付箋が保持する記述を印刷領域内に収める処理制御機能と、をコンピュータに実行させることにより構成する情報処理プログラムである。
【００１８】
請求項１２に記載の本発明は、文書中のページ及び当該ページに付加された電子的な付箋を画面に表示する処理を行う表示処理機能と、前記ページ及び前記付箋を印刷する印刷情報を生成して印刷装置に供給する処理を行い、当該印刷装置により印刷媒体に印刷させる印刷処理機能と、前記ページにおいて印刷媒体に印刷される印刷領域を特定する領域特定機能と、前記付箋中の印刷領域からはみ出す部分に対応して前記印刷処理機能を制御し、前記付箋中の記述を印刷領域内に移動した印刷情報を生成させる処理制御機能と、をコンピュータに実行させることにより構成する文書処理プログラムである。
【００１９】
請求項１３に記載の本発明は、文書中のページ及び当該ページに付加された電子的な付箋を画面に表示する処理を行う表示処理機能と、前記付箋が保持する記述をユーザ操作に応じて編集する処理を行う編集処理機能と、前記ページ及び前記付箋を印刷する印刷情報を生成して印刷装置に供給する処理を行い、当該印刷装置により印刷媒体に印刷させる印刷処理機能と、前記ページにおいて印刷媒体に印刷される印刷領域を特定する領域特定機能と、前記付箋中の印刷領域からはみ出す部分に対応して前記編集処理機能を制御し、前記付箋に保持させる記述をその付箋中の印刷領域内の部分に規制させる処理制御機能と、をコンピュータに実行させることにより構成する文書処理プログラムである。
【００２０】
請求項１４に記載の本発明は、文書中のページ及び当該ページに付加された電子的な付箋を画面に表示する処理を行う表示処理機能と、前記付箋が保持する記述をユーザ操作に応じて編集する処理を行う編集処理機能と、前記ページ及び前記付箋を印刷する印刷情報を生成して印刷装置に供給する処理を行い、当該印刷装置により印刷媒体に印刷させる印刷処理機能と、前記ページにおいて印刷媒体に印刷される印刷領域を特定する領域特定機能と、前記付箋中の印刷領域からはみ出す部分に対応して前記表示処理機能を制御し、前記付箋中の印刷領域内の部分と印刷領域からはみ出す部分とを区別した態様で表示させる処理制御機能と、をコンピュータに実行させることにより構成する文書処理プログラムである。
【００２１】
請求項１５に記載の本発明は、文書中のページ及び当該ページに付加された電子的な付箋を印刷媒体に印刷する処理を行う印刷処理機能と、前記ページにおいて印刷媒体に印刷される印刷領域を特定する領域特定機能と、前記付箋中の印刷領域からはみ出す部分に対応して前記印刷処理機能を制御し、前記付箋中の記述を印刷領域内に移動して印刷させる処理制御機能と、をコンピュータに実行させることにより構成する印刷プログラムである。
【発明の効果】
【００２２】
本発明によると、電子的な付箋に係る処理を制御して当該付箋中の記述を当該付箋が付加されたページの印刷領域内に収めるため、当該ページの印刷物から付箋中の記述が欠落しない。
すなわち、電子的な付箋の印刷処理を制御して、印刷領域外になされた記述を印刷領域内に移動して印刷させることで、印刷物から付箋中の記述が欠落しない。また、電子的な付箋の表示処理や編集処理を制御して、印刷領域外への記述の書き込みを防止させることで、印刷物から付箋中の記述が欠落しない。
【発明を実施するための最良の形態】
【００２３】
本発明を一実施例に基づいて具体的に説明する。
図１は、本例に係る文書処理装置１の構成を示しており、文書処理装置１には、文書処理装置１から供給される印刷情報に基づいて文書を印刷するプリンタ２、液晶ディスプレイ等により構成されて文書を表示する画面３、キーボード・マウス等の入力機器により構成されて文書に対するユーザ操作を受け付ける入力デバイス４、が設けられている。
【００２４】
文書処理装置１は、文書データを保持するデータ保持部１１、文書中の電子的な付箋（以下、単に「付箋」と記す）についての制御を行う付箋制御部１２、文書及び当該文書中の付箋を表示・編集・印刷処理する文書処理部１６を有している。本例では、文書処理装置１が有するデータ保持部１１の文書データに対して付箋制御部１２および文書処理部１６が処理を行っているが、例えば、文書サーバ等の他の装置が保持する文書データを取得して処理する構成でもよい。
【００２５】
文書データは、文書中の各ページの情報であるページデータ、各ページに付加された付箋の情報である付箋データ、等により構成されている。
ページデータは、図２に示すように、文書中の各ページを識別する「ページＩＤ」、当該ページを印刷する用紙の大きさを示す「ページサイズ」、ページの各辺に設ける余白部分の大きさを示す「マージン」、等の情報を保持している。
付箋データは、図３に示すように、各付箋を識別する「付箋ＩＤ」、当該付箋が付加されたページを識別する「ページＩＤ」、当該付箋が付加されたページ上の位置を示す「位置座標」、当該付箋の大きさを示す「付箋サイズ」、当該付箋に記述された「記述データ」、等の情報を保持している。
【００２６】
文書処理部１６は、文書中のページ及び当該ページに付加された付箋を印刷する印刷情報を生成してプリンタ２に供給する処理を行う印刷処理部１７、文書中のページ及び当該ページに付加された付箋を画面３に表示する処理を行う表示処理部１８、入力デバイス４で受け付けたユーザ操作に応じて文書中のページ及び当該ページに付加された付箋のデータを編集する処理を行う編集処理部１９、を備えている。
【００２７】
付箋制御部１２は、プリンタ２の印刷スペックを取得するスペック取得部１３、取得した印刷スペック及びページサイズに基づいて印刷領域を特定する領域特定部１４、特定した印刷領域からはみ出す部分に対応して印刷処理部１７を制御する制御処理部１５、を備えている。
【００２８】
スペック取得部１３は、プリンタ２の機械的要因により生じる印刷不能部分の情報を印刷スペックとしてプリンタ２から取得し、本例では用紙の端から２ｍｍが印刷不能であるという情報を取得している。なお、用紙の全範囲に印刷可能なプリンタを用いるような場合には、スペック取得部１３を設けない構成とすることもできる。
【００２９】
領域特定部１４は、スペック取得部１３で取得した印刷スペック及びページデータ中のマージンに基づいて印刷領域を特定する。すなわち、印刷スペックにより定まる領域とマージンにより定まる領域のうち、狭い方の領域を印刷領域として採用する。
【００３０】
例えば、マージンが１ｍｍに設定されている場合には、ページの各辺から２ｍｍ（印刷スペック）を除いた部分が印刷領域として特定される。また、例えば、マージンが３ｍｍに設定されている場合には、ページの各辺から３ｍｍを除いた部分が印刷領域として特定される。なお、マージンが各辺で異なる場合には、それぞれの設定値に応じて印刷領域を特定すればよい。また、スペック取得部１３を設けない構成の場合にはマージンから印刷領域を特定すればよく、マージンが設定されていない場合には印刷スペックから印刷領域を特定すればよい。
【００３１】
処理制御部１５は、付箋データと前記特定した印刷領域とから、ページに付加された付箋が印刷領域からはみ出す境界線を算出し、当該境界線に基づいて印刷処理部１７を制御して、印刷領域内に付箋の記述を収めた態様でプリンタ２により印刷させる。本例では、はみ出す部分の記述を付箋中の印刷領域内の空きスペースに移動した印刷情報を生成させてプリンタ２に供給させている。そして、はみ出す部分の記述を移動するための十分な空きスペースがない場合には、記述の文字サイズを縮小して空きスペースを確保して印刷領域内に移動させている。
【００３２】
図４は、ページと当該ページ中の付箋との関係を論理空間座標上に表現しており、同図を用いて、付箋が印刷領域からはみ出す境界線の算出処理を説明する。
図中のＲｂは、ページデータ中のページサイズに基づいて特定された印刷先の用紙を表しており、座標（ｘｐ、ｙｐ）を左上端とし、当該座標からｘ軸方向（右方向）にｘｗ、ｙ軸方向（下方向）にｙｈの領域が用紙Ｒｂに該当する。
また、図中のＲｐは、印刷スペック及びマージンにより特定されたページの印刷領域を表しており、Ｒｂ（用紙）のｘ軸（左右）の両端からそれぞれｘｍを除き、ｙ軸（上下）の両端からそれぞれｙｍを除いた領域が印刷領域Ｒｐに該当する。
【００３３】
この場合、例えば、ページの右辺部分の境界線ｘｂは、以下の数式により算出される。
（数１）ｘｂ＝ｘｐ＋ｘｗ−ｘｍ
したがって、付箋データ中の付箋位置及び付箋サイズにより決定される付箋Ｆの右端部が境界線ｘｂ以上であれば、付箋Ｆが印刷領域Ｒｐから右方向にはみ出していると判別できる。そして、付箋Ｆがはみ出していると判別された場合には、処理制御部１５はその部分に対応して印刷処理部１７を制御して、はみ出す部分の記述を付箋Ｆ中の印刷領域Ｒｐ内の部分Ｒｆに収めて印刷させている。
【００３４】
この結果、図５（ａ）に示すような付箋Ｆが印刷領域Ｒｐからはみ出して付加されたページを印刷しても、同図（ｂ）に示すように、付箋Ｆ内の記述を印刷領域Ｒｐ内に移動（本例では文字を縮小して確保した空きスペースに移動）した態様Ｆａとして付箋Ｆ中の記述が欠落することなく印刷される。
【００３５】
図６には印刷処理の他の制御例が示してあり、同図（ｂ）に示すように、処理制御部１５が印刷処理部１７を制御して付箋Ｆの形態を変更させることで、付箋Ｆ中の記述を印刷領域Ｒｐ内に移動した態様Ｆｂとして印刷させるようにしてもよい。また、例えば、付箋Ｆの形状を維持しつつ、付箋Ｆとその記述とを縮小して印刷領域Ｒｐ内に収めるようにしてもよい。
【００３６】
処理制御部１５は、図７に示すように、編集処理部１９を制御して、付箋Ｆに保持させる記述をその付箋Ｆ中の印刷領域Ｒｐ内の部分Ｒｆに規制させるようにしてもよい。すなわち、例えば、付箋Ｆ中の印刷領域Ｒｐ内の部分Ｒｆに対する記述の入力を受け付ける一方、付箋Ｆ中の印刷領域Ｒｐからはみ出す部分に対する入力を無効にしたり、はみ出す部分に入力があった場合に警告メッセージを表示したりすることで、印刷領域Ｒｐ内に記述が規制される。
【００３７】
また、処理制御部１５は、図８に示すように、表示処理部１８を制御して、付箋Ｆ中の印刷領域Ｒｐ内の部分と印刷領域Ｒｐからはみ出す部分Ｒｇとを区別した態様で表示（本例ではＲｇの部分をグレーアウト表示）することで、当該部分に対する記述が印刷されないことをユーザに示して、はみ出す部分Ｒｇに対する記述の入力をユーザに控えさせてもよい。
【００３８】
なお、本例では、本発明に係るプログラムをコンピュータの備える演算処理部（ＣＰＵ）やメモリ等のハードウェア資源を用いて実行させることにより、領域特定部１４、処理制御部１５、印刷処理部１７、表示処理部１８、編集処理部１９を構成しているが、専用の回路素子により構成するようにしてもよい。
【００３９】
図９には、本発明の他の実施例に係るプリンタ２の構成が示してある。
プリンタ２は、他の装置から供給されるページデータ及び付箋データに基づいて用紙に印刷を行っており、印刷制御を行う付箋制御部２１、ページデータ及び付箋データに基づく印刷情報を生成する処理を行う印刷処理部２５、生成された印刷情報に基づいて用紙に印刷する印刷部２６、を備えている。
【００４０】
付箋制御部２１は、印刷部２６の機械的要因により生じる印刷不能部分の情報である印刷スペックを保持するスペック保持部２２、印刷スペック及びページサイズに基づいて印刷領域を特定する領域特定部２３、特定した印刷領域からはみ出す部分に対応して印刷処理部２５を制御する制御処理部２４、を備えている。
【００４１】
本例のプリンタ２は、ページデータ及び付箋データが供給されると、領域特定部２３が、印刷スペック及びページデータに基づいて印刷領域を特定し、処理制御部２４が、付箋データと前記特定した印刷領域とから、ページに付加された付箋が印刷領域からはみ出す境界線を算出し、当該境界線に基づいて印刷処理部２６を制御して、印刷領域内に付箋の記述を収めた態様の印刷情報を生成させて印刷手段２６により印刷させる。
すなわち、プリンタ２側で印刷処理を制御するため、ページデータ及び付箋データの供給元の各装置側で、ページの印刷範囲内に付箋の記述を収める処理を行う必要がない。
【００４２】
なお、本例では、本発明に係るプログラムをプリンタ２の備える演算処理部（ＣＰＵ）やメモリ等のハードウェア資源を用いて実行させることにより、領域特定部２３、処理制御部２５、印刷処理部２６を構成しているが、専用の回路素子により構成するようにしてもよい。
【図面の簡単な説明】
【００４３】
【図１】本発明の一実施例に係る文書処理装置の構成を示す図である。
【図２】本発明の一実施例に係るページデータを説明する図である。
【図３】本発明の一実施例に係る付箋データを説明する図である。
【図４】本発明の一実施例に係る境界線の算出処理を説明する図である。
【図５】本発明の一実施例に係る印刷処理の制御例を説明する図である。
【図６】本発明の一実施例に係る印刷処理の他の制御例を説明する図である。
【図７】本発明の一実施例に係る編集処理の制御例を説明する図である。
【図８】本発明の一実施例に係る表示処理の制御例を説明する図である。
【図９】本発明の他の実施例に係るプリンタの構成を示す図である。
【図１０】従来方式による付箋付きページの印刷結果を示す図である。
【符号の説明】
【００４４】
１：文書処理装置、  ２：プリンタ、
３：画面、  ４：入力デバイス、
１１：データ保持部、  １２：付箋制御部、
１３：スペック取得部、  １４：領域特定部、
１５：処理制御部、  １６：文書処理部、
１７：印刷処理部、  １８：表示処理部、
１９：編集処理部
【図１】
2007334470.tif 000003
【図２】
2007334470.tif 000004
【図３】
2007334470.tif 000005
【図４】
2007334470.tif 000006
【図５】
2007334470.tif 000007
【図６】
2007334470.tif 000008
【図７】
2007334470.tif 000009
【図８】
2007334470.tif 000010
【図９】
2007334470.tif 000011
【図１０】
2007334470.tif 000012